(57)【要約】      （修正有）【課題】上部のホルダーカバーを使用者自身が容易に直接交替し、且つ、より薄くて信頼性のある端末機のカバー交替装置を提供する。【解決手段】端末機の本体にヒンジ軸支されるホルダーフレーム１０と、該ホルダーフレーム１０にスナップ式に軸支されるホルダーカバー２０と、を含んでホルダー型移動通信端末機のカバー交替装置を構成する。ホルダーカバー２０は、ホルダーフレーム１０に締結される締結手段を含む。締結手段は、交替型ホルダーカバー２０の両方側面に形成された少なくとも一つ以上の第１締結部２１ａ−２１ｄと、交替型ホルダーカバー２０の前面下方側に形成された第２締結部２２、２３と、から構成される。【選択図】図２
2004343750.tif 000002
【特許請求の範囲】
【請求項１】
ホルダー型移動通信端末機であって、
端末機の本体にヒンジ軸支されるホルダーフレームと、
該ホルダーフレームにスナップ式に軸支されるホルダーカバーと、を含んで構成されることを特徴とするカバー交替装置。
【請求項２】
前記ホルダーカバーは、
前記ホルダーフレームに締結される締結手段を含むことを特徴とする請求項１記載のカバー交替装置。
【請求項３】
前記締結手段は、
交替型ホルダーカバーの両方側面に形成された少なくとも一つ以上の第１締結部と、
交替型ホルダーカバーの前面下方側に形成された第２締結部と、から構成されることを特徴とする請求項１記載のカバー交替装置。
【請求項４】
前記第１締結部は、
スナップ式に構成された係止片であることを特徴とする請求項３記載のカバー交替装置。
【請求項５】
前記第２締結部は、
Ｌ字状の係止片に屈曲形成され、下部は所定面積を有する断面楕円状に形成されることを特徴とする請求項３記載のカバー交替装置。
【請求項６】
前記ホルダーカバーは、
所定ギャップを有してホルダーフレームに装着されることを特徴とする請求項１記載のカバー交替装置。
【請求項７】
前記ギャップは、
全体的に形成されるか、又は、第１締結部及び第２締結部のみに形成されることを特徴とする請求項６記載のカバー交替装置。
【請求項８】
端末機本体に着脱自在に装着されるバッテリと、
該バッテリとスナップ式に軸支されるバッテリカバーと、を含んで構成されることを特徴とする移動通信端末機のカバー交替装置。
【請求項９】
前記バッテリカバーは、
側壁面に形成されて、バッテリ側の係止突条に締結される一つ以上の第１締結部と、
前面下方側に形成されて、バッテリ側の係止孔に締結される第２締結部と、から構成されることを特徴とする請求項８記載の移動通信端末機のカバー交替装置。
【請求項１０】
前記第１締結部は、
スナップ式に構成された係止片であることを特徴とする請求項９記載の移動通信端末機のカバー交替装置。
【請求項１１】
前記第２締結部は、
Ｌ字状の係止片に屈曲形成されて、下部は所定面積を有する断面楕円状に形成されることを特徴とする請求項９記載の移動通信端末機のカバー交替装置。
【請求項１２】
端末機の本体にヒンジ軸支されるホルダーフレームと、
該ホルダーフレームにスナップ式に軸支されるホルダーカバーと、
該ホルダーカバーをホルダーフレームに締結するための締結手段と、を含んで構成されることを特徴とするホルダー型移動通信端末機のカバー交替装置。
【請求項１３】
前記締結手段は、
前記ホルダーフレーム及びホルダーカバーの側面に形成された複数の第１締結部と、
前記ホルダーフレーム及びホルダーカバーの下方側に形成された第２締結部と、から構成されることを特徴とする請求項１２記載のホルダー型移動通信端末機のカバー交替装置。
【請求項１４】
前記第１締結部は、
スナップ式に構成された係止片であることを特徴とする請求項１３記載のホルダー型移動通信端末機のカバー交替装置。
【請求項１５】
前記第１締結部は、
前記ホルダーカバーの側面に形成された第１係止片と、
前記ホルダーフレームの側面に第１係止片と対応するように突成された係止突条と、から構成されることを特徴とする請求項１３記載のホルダー型移動通信端末機のカバー交替装置。
【請求項１６】
前記第２締結部は、
前記ホルダーカバーの前方下端に屈曲形成された第２係止片と、
該第２係止片が係合されるように、前記ホルダーフレームの前面下方側に穿孔形成された係止孔と、から構成されることを特徴とする請求項１３記載のホルダー型移動通信端末機のカバー交替装置。
【請求項１７】
前記第２係止片は、
指で押えられる程度の所定面積を有し、組立後には周囲面と同様な面をなすように形成されることを特徴とする請求項１６記載のホルダー型移動通信端末機のカバー交替装置。
【請求項１８】
前記ホルダーカバーは、
前記ホルダーフレームと所定ギャップを有して締結されることを特徴とする請求項１２記載のホルダー型移動通信端末機のカバー交替装置。
【請求項１９】
前記ギャップは、
前記ホルダーカバーに全体的に形成されるか、又は、第１及び第２締結部のみに形成されることを特徴とする請求項１８記載のホルダー型移動通信端末機のカバー交替装置。
【発明の詳細な説明】
【技術分野】
【０００１】
本発明は、移動通信端末機に係るもので、詳しくは、移動通信端末機のカバー交替装置に関するものである。
【背景技術】
【０００２】
一般に、ホルダー（ｆｏｌｄｅｒ）型移動通信端末機（以下、端末機と称す）は、長時間使用する場合、上部のホルダーカバーに傷がつくか、又はペイントが剥れるなどの外観損傷が頻繁に発生する。このように端末機の外観損傷が発生した場合、消費者は端末機のカバーを直接交換することができないため、最初に購入したカバーをそのまま使用すべきであった。
【０００３】
従って、このような端末機の外観損傷を改善するために、近来、ホルダー交替型カバーをスライディング方式により交替する構造が提案されている。
【発明の開示】
【発明が解決しようとする課題】
【０００４】
然るに、従来のホルダー交替型カバーにおいては、上部のホルダーカバー上に別途のカバーを重合することで、端末機が厚くなるという不都合な点があった。
【０００５】
又、スライディング方式により締結されるため、端末機が落ちたとき、カバーが分離される憂いがあるという不都合な点があった。
【０００６】
従って、端末機の外観に損傷が発生した場合、使用者が容易に交替し、且つより薄くて信頼性のある端末機のカバー交替装置が切実に要求されている。
【０００７】
本発明は、このような従来の課題に鑑みてなされたもので、上部のホルダーカバーを使用者自身が容易に直接交替し得る端末機のカバー交替装置を提供することを目的とする。
【０００８】
又、より薄くて信頼性のある端末機のカバー交替装置を提供することを目的とする。
【課題を解決するための手段】
【０００９】
このような目的を達成するため、本発明に係る移動通信端末機のホルダーカバー交替装置は、端末機の本体とヒンジ軸支されるホルダーフレームと、該ホルダーフレームにスナップ式に軸支されるホルダーカバーと、を含んで構成されることを特徴とする。
【００１０】
又、前記ホルダーカバーは、ホルダーフレームに締結される締結手段を含み、該締結手段は、交替型ホルダーカバーの両方側面に具備された少なくとも一つ以上の第１締結部と、交替型ホルダーカバーの前面下方側に具備された第２締結部と、から構成されることを特徴とする。
【００１１】
又、前記第１締結部は、スナップ式に構成された係止片で、前記第２締結部は、Ｌ字状の係止片に屈曲形成されて、下部は所定面積を有する断面楕円状に形成されることを特徴とする。
【００１２】
又、前記ホルダーカバーは、所定ギャップを有してホルダーフレームに装着され、前記ギャップは、全体的に形成されるか、又は、第１締結部及び第２締結部のみに形成されることを特徴とする。
【００１３】
又、本発明に係る移動通信端末機のバッテリカバー交替装置は、端末機本体に着脱自在に装着されるバッテリと、該バッテリとスナップ式に軸支されるバッテリカバーと、を含んで構成されることを特徴とする。
【００１４】
又、前記バッテリカバーは、側壁面に形成されてバッテリ側の係止突条に締結される一つ以上の第１締結部と、前面下方側に形成されてバッテリ側の係止孔に締結される第２締結部と、から構成されることを特徴とする。
【００１５】
又、前記第１締結部はスナップ式に構成された係止片で、前記第２締結部はＬ字状の係止片で、下部は所定面積を有する断面楕円状に形成されることを特徴とする。
【００１６】
又、本発明に係る移動通信端末機のホルダーカバー交替装置は、端末機の本体にヒンジ軸支されるホルダーフレームと、該ホルダーフレームにスナップ式に軸支されるホルダーカバーと、該ホルダーカバーをホルダーフレームに締結するための締結手段と、を含んで構成されることを特徴とする。
【００１７】
又、前記締結手段は、前記ホルダーフレーム及びホルダーカバーの側面に形成された複数の第１締結部と、前記ホルダーフレーム及びホルダーカバーの下方側に形成された第２締結部と、から構成されることを特徴とする。
【００１８】
又、前記第１締結部は、スナップ式に構成された係止片であることを特徴とする。
【００１９】
又、前記第１締結部は、ホルダーカバーの側面に形成された第１係止片と、前記ホルダーフレームの側面に第１係止片と対応するように突成された係止突条と、から構成されることを特徴とする。
【００２０】
又、前記第２締結部は、ホルダーカバーの前方下端に屈曲形成された第２係止片と、該第２係止片が係合されるように、ホルダーフレームの前面下方側に穿孔形成された係止孔と、から構成されることを特徴とする。
【００２１】
又、前記第２係止片は、指で押えられる程度の所定面積を有し、組立後には周囲面と同様な面をなすように形成されることを特徴とする。
【００２２】
又、前記ホルダーカバーは、前記ホルダーフレームと所定ギャップを有して締結され、前記ギャップは、前記ホルダーカバーに全体的に形成されるか、又は、第１及び第２締結部のみに形成されることを特徴とする。
【００２３】
本発明によるホルダー型移動通信端末機は、端末機の本体にヒンジ軸支されるホルダーフレームと、該ホルダーフレームにスナップ式に軸支されるホルダーカバーと、を含んで構成されることを特徴とし、これにより上記目的を達成する。
【００２４】
前記ホルダーカバーは、前記ホルダーフレームに締結される締結手段を含むことを特徴としてもよい。
【００２５】
前記締結手段は、交替型ホルダーカバーの両方側面に形成された少なくとも一つ以上の第１締結部と、交替型ホルダーカバーの前面下方側に形成された第２締結部と、から構成されることを特徴としてもよい。
【００２６】
前記第１締結部は、
スナップ式に構成された係止片であることを特徴としてもよい。
【００２７】
前記第２締結部は、Ｌ字状の係止片に屈曲形成され、下部は所定面積を有する断面楕円状に形成されることを特徴としてもよい。
【００２８】
前記ホルダーカバーは、所定ギャップを有してホルダーフレームに装着されることを特徴としてもよい。
【００２９】
前記ギャップは、全体的に形成されるか、又は、第１締結部及び第２締結部のみに形成されることを特徴としてもよい。
【００３０】
本発明による端末機本体に着脱自在に装着されるバッテリは、該バッテリとスナップ式に軸支されるバッテリカバーと、を含んで構成されることを特徴とし、これにより上記目的を達成する。
【００３１】
前記バッテリカバーは、側壁面に形成されて、バッテリ側の係止突条に締結される一つ以上の第１締結部と、前面下方側に形成されて、バッテリ側の係止孔に締結される第２締結部と、から構成されることを特徴としてもよい。
【００３２】
前記第１締結部は、スナップ式に構成された係止片であることを特徴としてもよい。
【００３３】
前記第２締結部は、Ｌ字状の係止片に屈曲形成されて、下部は所定面積を有する断面楕円状に形成されることを特徴としてもよい。
【００３４】
本発明によるホルダー型移動通信端末機のカバー交換装置は、端末機の本体にヒンジ軸支されるホルダーフレームと、該ホルダーフレームにスナップ式に軸支されるホルダーカバーと、該ホルダーカバーをホルダーフレームに締結するための締結手段と、を含んで構成されることを特徴とし、これにより上記目的を達成する。
【００３５】
前記締結手段は、前記ホルダーフレーム及びホルダーカバーの側面に形成された複数の第１締結部と、前記ホルダーフレーム及びホルダーカバーの下方側に形成された第２締結部と、から構成されることを特徴としてもよい。
【００３６】
前記第１締結部は、スナップ式に構成された係止片であることを特徴としてもよい。
【００３７】
前記第１締結部は、前記ホルダーカバーの側面に形成された第１係止片と、前記ホルダーフレームの側面に第１係止片と対応するように突成された係止突条と、から構成されることを特徴としてもよい。
【００３８】
前記第２締結部は、前記ホルダーカバーの前方下端に屈曲形成された第２係止片と、
該第２係止片が係合されるように、前記ホルダーフレームの前面下方側に穿孔形成された係止孔と、から構成されることを特徴としてもよい。
【００３９】
前記第２係止片は、指で押えられる程度の所定面積を有し、組立後には周囲面と同様な面をなすように形成されることを特徴としてもよい。
【００４０】
前記ホルダーカバーは、前記ホルダーフレームと所定ギャップを有して締結されることを特徴としてもよい。
【００４１】
前記ギャップは、前記ホルダーカバーに全体的に形成されるか、又は、第１及び第２締結部のみに形成されることを特徴としてもよい。
【発明の効果】
【００４２】
本発明に係る移動通信端末機のカバー交替装置は、消費者所望のホルダーカバーを消費者自身が直接簡便に交替することで、ホルダーカバーに多様な色相及び模様を適用し、製品の多様性は勿論で、消費者の多様な要求を充足し得るという効果がある。
【００４３】
即ち、製造社は多様な色相、模様及び絵により多様な形態のホルダーカバー、バッテリカバー及びホルダーカバーとバッテリカバーとをパッケージ化して消費者に提供し、消費者は所望のホルダーカバーを自身が簡便に交替して使用することで、端末機の多様性、価値及び選好度を一層向上し得るという効果がある。
【００４４】
従って、端末機製造社は、多様な色相及び模様のカバーを開発して消費者に販売することで、新しい収益創出を可能にし、特に、端末機の価値及び選好度をより向上することができる。例えば、端末製造社は、３世帯カメラフォンにより消費者が直接撮影した写真の伝送を受けてフィルムを作った後、これを成形射出及びインモールド射出することで、消費者所望の絵が刻まれた上部のホルダーカバー又はバッテリカバーを製作し得るという効果がある。
【００４５】
又、ホルダーフレームにホルダーカバーを締結手段により直接装着することで、フォンの厚さを既存のスライディング方式より減少し、特に、落とした時にもよく分離されないため、製品の信頼性を一層向上し得るという効果がある。
【発明を実施するための最良の形態】
【００４６】
以下、本発明の実施の形態に対し、図面に基づいて説明する。
【００４７】
本発明は、端末機のホルダーカバーを消費者自身が直接交替し得る新しい型合構造を提案する。このために、本発明は、ホルダー部のホルダーフレームとスナップ式に軸支された交替可能型ホルダーカバーを提案するが、前記ホルダーカバーは、ホルダーフレームと円滑に締結するために、交替型ホルダーカバーの側面及び下方側に別途の締結手段を具備している。
【００４８】
図１は本発明に係るホルダーカバーが装着されたホルダー部を示した斜視図で、図２は本発明に係るホルダーカバーが装着される以前のホルダー部を示した斜視図である。
【００４９】
図１及び図２に示したように、本発明に係る移動通信端末機のカバー交替装置においては、移動通信端末機の本体にヒンジ軸支されるホルダーフレーム１０と、該ホルダーフレーム１０にスナップ式に締結されるホルダーカバー２０と、から構成され、該ホルダーカバー２０は、ホルダーフレーム１０に円滑に締結するために所定の締結手段を具備している。
【００５０】
図３は図１のホルダー型端末機のＡ−Ａ’線断面図で、図４は図１のホルダー型端末機のＢ−Ｂ’線断面図である。
【００５１】
図２〜図４に示したように、前記締結手段は、ホルダーフレーム１０及びホルダーカバー２０の両方側面に具備された複数の第１締結部１００と、前記ホルダーフレーム１０及びホルダーカバー２０の前面下方側に形成された第２締結部１１０と、から構成され、本発明では４個の第１締結部を例示して説明したが、その数は必要に応じて変更される。
【００５２】
例えば、図５に示したように、一つの第１締結部１００は、ホルダーカバー２０の内側壁面から下方向に形成された係止片２１ａと、該係止孔２１ａに対応して前記ホルダーフレーム１０の内側壁面に形成された係止突条２４と、から構成され、このとき、前記係止片２１ａはスナップ式に形成される。
【００５３】
又、前記第２締結部１１０は、図４に示したように、ホルダーカバー２０の先方端下方に屈曲形成された係止片２２と、これに対応して前記ホルダーフレーム１０の先方側壁に穿孔形成されて前記係止片２２が係合される係止孔２３と、から構成され、このとき、前記係止片２２は“Ｌ”字状に形成されて、端部は指で押さえられる程度の所定面積を有する。特に、前記係止片２２の先方端は、組立後に外部に突出されず、周囲面と同様な面をなすように設計されるが、これは、ホルダーカバー２０をホルダーフレーム１０から容易に分離させるためである。
【００５４】
又、ホルダーカバー２０を交替するとき、使用者がホルダーカバー２０をホルダーフレーム１０から容易に分離するように、ホルダーフレーム１０と交替型ホルダーカバー２０間には所定間隔Ｄ（ｅ．ｇ．，０．５ｍｍ）のギャップを与える。即ち、ホルダーフレーム１０とホルダーカバー２０間には全体的に０．５ｍｍのギャップを与えるか、又は、第１締結部１００及び第２締結部１１０のみに０．５ｍｍのギャップを与える。
【００５５】
又、前記ホルダーフレーム１０の内部底面上には、支持部１１が上方向に突成されて該支持部１１上に印刷回路基板３１が収納固定され、該印刷回路基板３１の下部にはメーンＬＣＤ３２及び金属遮蔽膜３４がそれぞれ結合され、上部にはサブＬＣＤ３３及び金属遮蔽膜３５が固定される。又、ホルダーフレーム１０の下方面中央にメーンウインドー３６が装着され、ホルダーカバー２０の上方面中央にはサブウインドー３７が装着される。
【００５６】
このとき、前記金属遮蔽膜３４は、ホルダーフレーム１０からホルダーカバー２０を分離したとき、印刷回路基板３１及びサブＬＣＤ３３上の部品に損傷を与えることなく、特に埃が入らないように、全体を約０．５ｔの金属により遮蔽する構造に形成される。又、印刷回路基板３１にメーンＬＣＤ３２が組立てられたＬＣＤモジュールは、図２に示したように、２１ａ〜２１ｄの４個のスクリューにより締結する。
【００５７】
以下、このように構成された本発明に係る移動通信端末機のカバー交替装置のホルダーカバー交替方法に対して説明する。
【００５８】
図２に示したように、まず、ホルダーフレーム１０の上面にホルダーカバー２０を載置した状態で前記ホルダーカバー２０を押すと、第１締結部１００及び第２締結部１１０により、図１に示したように、ホルダーフレーム１０とホルダーカバー２０とが締結される。例えば、図５に示したように、ホルダーカバー２０の両方側の係止片２１ａがホルダーフレーム１０の係止突条２４に係止し、図４に示したように、ホルダーカバー２０の前方側に屈曲形成された係止片２２がホルダーフレーム１０の係止孔２３に係合することで、ホルダーフレーム１０にホルダーカバー２０が安定的に締結される。
【００５９】
このようにホルダーフレーム１０にホルダーカバー２０が結合された状態で現在のホルダーカバー２０を他のホルダーカバーに交替する場合、使用者は、まず、ホルダーフレーム１０の係止孔２３から露出されたホルダーカバー２０の係止片２２を指で押さえた状態で、ホルダーサイド側の４個の係止片２１ａ−２１ｄをそれぞれ爪で解除する。即ち、使用者は、ホルダーフレーム１０とホルダーカバー２０間に形成された所定間隔Ｄのギャップに爪を入れて、ホルダーカバー２０の係止片２１ａ−２１ｄとホルダーフレーム１０の係止突条２４間の係止状態を解除することで、ホルダーフレーム１０からホルダーカバー２０を分離する。
【００６０】
このように、本発明は、ホルダーフレームに軸支されるホルダーカバーのみを例示して説明したが、これに限定されることなく、バッテリカバーにも同様な締結構造が適用される。
【００６１】
以上説明したように、本発明に係る移動通信端末機のカバー交替装置は、消費者所望のホルダーカバーを消費者自身が直接簡便に交替することで、ホルダーカバーに多様な色相及び模様を適用し、製品の多様性は勿論で、消費者の多様な要求を充足し得るという効果がある。
【００６２】
即ち、製造社は多様な色相、模様及び絵により多様な形態のホルダーカバー、バッテリカバー及びホルダーカバーとバッテリカバーとをパッケージ化して消費者に提供し、消費者は所望のホルダーカバーを自身が簡便に交替して使用することで、端末機の多様性、価値及び選好度を一層向上し得るという効果がある。
【００６３】
従って、端末機製造社は、多様な色相及び模様のカバーを開発して消費者に販売することで、新しい収益創出を可能にし、特に、端末機の価値及び選好度をより向上することができる。例えば、端末製造社は、３世帯カメラフォンにより消費者が直接撮影した写真の伝送を受けてフィルムを作った後、これを成形射出及びインモールド射出することで、消費者所望の絵が刻まれた上部のホルダーカバー又はバッテリカバーを製作し得るという効果がある。
【００６４】
又、ホルダーフレームにホルダーカバーを締結手段により直接装着することで、フォンの厚さを既存のスライディング方式より減少し、特に、落とした時にもよく分離されないため、製品の信頼性を一層向上し得るという効果がある。
【００６５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００６６】
（要約書）
上部のホルダーカバーを使用者自身が容易に直接交替し、且つ、より薄くて信頼性のある端末機のカバー交替装置を提供しようとする。
【００６７】
端末機の本体にヒンジ軸支されるホルダーフレーム１０と、該ホルダーフレーム１０にスナップ式に軸支されるホルダーカバー２０と、を含んでホルダー型移動通信端末機のカバー交替装置を構成する。
【図面の簡単な説明】
【００６８】
【図１】本発明に係る移動通信端末機のホルダーカバーが装着されたホルダー部を示した斜視図である。
【図２】図１のホルダーカバーの開放されたホルダー部を示した斜視図である。
【図３】図１のホルダー型端末機のＡ−Ａ’線縦断面図である。
【図４】図１のホルダー型端末機のＢ−Ｂ’線横断面図である。
【図５】図３の第１締結部を示した拡大図である。
【符号の説明】
【００６９】
１０：ホルダーフレーム
２０：ホルダーカバー
２１ａ−２１ｄ、２２：係止片
２３：係止孔
２４：係止突条
１００：第１締結部
１１０：第２締結部
【図１】
2004343750.tif 000003
【図２】
2004343750.tif 000004
【図３】
2004343750.tif 000005
【図４】
2004343750.tif 000006
【図５】
2004343750.tif 000007